(57)【要約】【課題】何処ででも最新の真贋情報にて手軽に紙幣の真贋判定を行うことができる携帯端末装置を提供する。【解決手段】少なくともデータ通信機能を備えた携帯端末装置１に紙葉類（紙幣３０）から真贋判定用の情報を読み取るための情報読取手段と、この情報読取手段にて読み取られた情報と基準情報とを比較して当該紙葉類（紙幣３０）の真贋を判定する比較判定手段の全て、又は、当該比較判定手段の一部を構成する手段と、真贋判定結果を出力する手段とを備える。【選択図】図１
2007293405.tif 000002
【特許請求の範囲】
【請求項１】
少なくともデータ通信機能を備えた携帯端末装置において、
紙葉類から真贋判定用の情報を読み取るための情報読取手段と、
該情報読取手段にて読み取られた情報と基準情報とを比較して当該紙葉類の真贋を判定する比較判定手段の全て、又は、当該比較判定手段の一部を構成する手段と、
真贋判定結果を出力する手段とを備えたことを特徴とする携帯端末装置。
【請求項２】
前記情報読取手段は、前記紙葉類に判定用の光を照射するための発光手段と、前記紙葉類からの反射光を受ける受光手段と、該受光手段からの信号をデジタル変換する信号変換手段とから構成されていることを特徴とする請求項１に記載の携帯端末装置。
【請求項３】
前記情報読取手段は、前記紙葉類を撮像する撮像手段から構成されており、前記比較判定手段は、前記撮像手段にて撮像された画像を判定することを特徴とする請求項１に記載の携帯端末装置。
【請求項４】
前記データ通信機能により配信された前記基準情報を記憶する記憶手段を備えたことを特徴とする請求項１乃至請求項３の何れかに記載の携帯端末装置。
【請求項５】
前記比較判定手段の一部を構成する手段は、前記情報読取手段にて読み取られた情報を前記データ通信機能により真贋判定のためのホストに送信し、当該ホストにて判定された結果を前記データ通信機能により受信することを特徴とする請求項１乃至請求項３の何れかに記載の携帯端末装置。
【請求項６】
前記情報読取手段にて読み取り可能な情報以外の真贋判定用の情報を読み取るための追加情報読取手段を接続可能としたことを特徴とする請求項１乃至請求項５の何れかに記載の携帯端末装置。
【請求項７】
通話機能を備えたことを特徴とする請求項１乃至請求項６の何れかに記載の携帯端末装置。
【発明の詳細な説明】
【技術分野】
【０００１】
本発明は、データ通信機能を備えた携帯端末装置に関するものである。
【背景技術】
【０００２】
従来自動販売機や遊技機、ＡＴＭ機、自動両替機などには紙幣挿入口が設けられており、紙幣挿入口から挿入された紙幣は、内部に設けられた紙幣識別装置にて光学的パターンや磁気的情報などから真贋判定が行われていた。そして、真贋判定された紙幣が真札の場合にはそのまま搬送されて紙幣収納部に収納され、紙幣が贋札の場合には搬送方向を逆転させて紙幣挿入口に返却できるようになっていた（特許文献１参照）。
【０００３】
一方、スーパーマーケットや大規模、小規模商店などにおいては、多くの場合紙幣識別装置は設置されていない。そこで、レジでの紙幣の真贋判定は、手による紙幣の感触や大きさ、或いは、模様や色などにより贋と思われたものを、紙幣の真贋判定が可能な金融機関（例えば、銀行や郵便局などの金融機関）に持って行き、贋と思われる紙幣の真贋判定が行われていた。
【特許文献１】特開２００６−１２００３号公報
【発明の開示】
【発明が解決しようとする課題】
【０００４】
しかしながら、従来の紙幣識別装置は大きくて持ち運びが困難であった。このため、手による紙幣の感触や大きさ、或いは、模様や色などが贋と思われた場合でも、手軽に紙幣の真贋判定を行うことができなかった。
【０００５】
また、従来の紙幣の真贋装置は、予め紙幣上に真贋ポイントが複数箇所決められており、決められた真贋ポイント以外の箇所に贋情報がある新たな贋札の場合は、その情報を入手してからでないと紙幣の真贋判定を行うことができないという問題があった。
【０００６】
本発明は、係る従来技術の課題を解決するために成されたものであり、何処ででも最新の真贋情報にて手軽に紙幣の真贋判定を行うことができる携帯端末装置を提供することを目的とする。
【課題を解決するための手段】
【０００７】
即ち、本発明の携帯端末装置は、少なくともデータ通信機能を備えたものであって、紙葉類から真贋判定用の情報を読み取るための情報読取手段と、この情報読取手段にて読み取られた情報と基準情報とを比較して当該紙葉類の真贋を判定する比較判定手段の全て、又は、当該比較判定手段の一部を構成する手段と、真贋判定結果を出力する手段とを備えたことを特徴とする。
【０００８】
また、請求項２の発明の携帯端末装置は、上記において、情報読取手段は、紙葉類に判定用の光を照射するための発光手段と、紙葉類からの反射光を受ける受光手段と、該受光手段からの信号をデジタル変換する信号変換手段とから構成されていることを特徴とする。
【０００９】
また、請求項３の発明の携帯端末装置は、請求項１において、情報読取手段は、紙葉類を撮像する撮像手段から構成されており、比較判定手段は、撮像手段にて撮像された画像を判定することを特徴とする。
【００１０】
また、請求項４の発明の携帯端末装置は、請求項１乃至請求項３の何れかにおいて、データ通信機能により配信された基準情報を記憶する記憶手段を備えたことを特徴とする。
【００１１】
また、請求項５の発明の携帯端末装置は、請求項１乃至請求項３の何れかにおいて、比較判定手段の一部を構成する手段は、情報読取手段にて読み取られた情報をデータ通信機能により真贋判定のためのホストに送信し、当該ホストにて判定された結果をデータ通信機能により受信することを特徴とする。
【００１２】
また、請求項６の発明の携帯端末装置は、請求項１乃至請求項５の何れかにおいて、情報読取手段にて読み取り可能な情報以外の真贋判定用の情報を読み取るための追加情報読取手段を接続可能としたことを特徴とする。
【００１３】
また、請求項７の発明の携帯端末装置は、請求項１乃至請求項６の何れかにおいて、通話機能を備えたことを特徴とする。
【発明の効果】
【００１４】
本発明では少なくともデータ通信機能を備えた携帯端末装置において、紙葉類から真贋判定用の情報を読み取るための情報読取手段と、この情報読取手段にて読み取られた情報と基準情報とを比較して当該紙葉類の真贋を判定する比較判定手段の全て、又は、当該比較判定手段の一部を構成する手段と、真贋判定結果を出力する手段とを備えているので、データ通信用の携帯端末装置を利用して、手軽に紙葉類の真贋判定を行うことができるようになる。
【００１５】
請求項２の如く情報読取手段を、紙葉類に判定用の光を照射するための発光手段と、紙葉類からの反射光を受ける受光手段と、この受光手段からの信号をデジタル変換する信号変換手段とから構成することで、紙葉類の真贋を光学的パターンから判定することができるようになる。
【００１６】
また、請求項３の如く情報読取手段を、紙葉類を撮像する撮像手段から構成し、比較判定手段が、撮像手段にて撮像された画像を判定するようにすれば、紙葉類の画像を基に模様やシリアル番号を利用して真贋を判定することができるようになる。
【００１７】
また、請求項４の如くデータ通信機能により配信された基準情報を記憶する記憶手段を備えれば、真贋判定のための最新の基準情報の配信を受けて記憶しておき、常に的確な判定を実現できるようになる。
【００１８】
また、請求項５の如く比較判定手段の一部を構成する手段を、情報読取手段にて読み取られた情報をデータ通信機能により真贋判定のためのホストに送信し、当該ホストにて判定された結果をデータ通信機能により受信するものとすれば、ホストを利用して精度良い真贋判定を行うことができるようになると共に、携帯端末装置自体の負担も軽くなる。
【００１９】
また、請求項６の如く情報読取手段にて読み取り可能な情報以外の真贋判定用の情報を読み取るための追加情報読取手段を接続可能とすれば、光学的パターンや画像以外の例えば紙質やインク材質などに基づく真贋判定も行うことが可能となる。
【００２０】
そして、請求項７の如く通話機能を備えれば、日常用いられる携帯電話を利用した紙葉類の真贋判定を実現することができる。
【発明を実施するための最良の形態】
【００２１】
本発明は、最新の贋紙葉類の情報を用いて何処ででも手軽に紙葉類の真贋判定を行えるようにしたことを最も主要な特徴とする。最新の贋紙葉類情報で何処ででも手軽に紙葉類の真贋判定を行えるという目的を、最新の贋紙葉類情報を受信可能な携帯端末装置に真贋判定用の情報を読み取るための情報読取手段を設けることにより実現した。
【実施例１】
【００２２】
以下、本発明の実施の形態を図面に基づいて説明する。図１は本発明の一実施例を示す携帯端末装置１の斜視図、図２は本発明の一実施例の主要な構成を示すブロック図をそれぞれ示している。本実施形態における携帯端末装置１は、図１に示すように一面側にカメラ１６を備えると共に、メールなどのデータ通信機能を備えた、所謂通話機能とカメラ１６を有する携帯電話にて構成されている。
【００２３】
即ち、携帯端末装置１は通信回路２（図２に図示）を備えており、この通信回路２は、後述するベースバンド部３からの信号を、アンテナ２Ａを介して基地局へ発信できるように構成されると共に、アンテナ２Ａを介して基地局からの電波を受信できるように構成されている。尚、実施例の図１（図３、図５、図６を含む）の携帯端末装置１は、アンテナ２Ａを内蔵しているため図示していない。
【００２４】
次に、携帯端末装置１を図２のブロック図を参照して詳しく説明する。３は、ベースバンド部であり、このベースバンド部３は、ＣＤＭＡ処理回路３１と音声コーデック３２を備えている。ＣＤＭＡ処理回路３１は、符号分割多元接続、スクランブル、誤り制御、タイミング検出を行う。また、音声コーデック３２は、音声を圧縮（符号化）・伸張（復号化）したり、アナログとデジタルの変換を行ったり、内部の増幅回路（図示せず）により受話音量やマイクロホンの感度を変更する。
【００２５】
４は、耳にあてて通話に使用されるスピーカであり、増幅回路５で増幅されたベースバンド部３の電気信号を音声に変換する。６は、通話に使用されるマイクロホンであり、音声を電気信号に変換する。７は、増幅回路であり、マイクロホン６の出力を増幅してベースバンド部３に出力する。
【００２６】
８は、受話音を周囲の人にも聞かせるための拡声用のスピーカである。このスピーカ８は増幅回路９で増幅されたベースバンド部３の電気信号を音声に変換する。また、このスピーカ８は着信報知の鳴動も行う。
【００２７】
１０は、切替回路であり、３つの夫々の増幅回路５、７、９とベースバンド部３との接続を、後述する制御装置１１の制御によりＯＮ／ＯＦＦする。尚、これら３つの増幅回路５、７、９はゲインが固定されており、受話音量やマイクロホンの感度を変更することはできない。受話音量やマイクロホンの感度の変更は、制御装置１１の制御によりベースバンド部３の音声コーデック３２が行う。
【００２８】
１１は、マイクロプロセッサからなる制御装置であり、動作プログラムを記憶したＲＯＭ１２に基づき各部を制御する。１３は、メモリ（ＲＡＭ）であり、制御装置１１の動作に必要な情報を記憶すると共に、データ通信機能により配信された基準情報やソフトウエア（紙幣３０の真贋判定用のソフトウエアなど）を記憶する。１６は、ＣＣＤ方式のカメラ（本発明の撮像手段に相当）であり、このカメラ１６は通常の画像を撮像するもので、解像度は３００万画素以上のものが好ましい。尚、カメラ１６のピントは自動で合うようになっている。また、基準情報については後で詳しく説明する。
【００２９】
１４は、バックライト（図示せず）を有する液晶の表示部（本発明の真贋判定結果を出力する手段に相当）であり、電話番号及びカメラ１６で撮像した映像などを表示する。１５は、入力部であり、電話番号の入力等を行うテンキー１５１と、通話の開始を操作する通話キー１５２と、通話の終了を操作する終話キー１５３とを有している。更に、入力部１５には、信号の登録操作を行う登録キー１５４と、撮像の操作を行う撮像キー１５５と、紙幣３０（図４に図示）の真贋判定モードを選択するモードキー１５６とを有している。１５７は、プリンタやデータのバックアップを行うアダプタ等を接続するための外部接続部である。
【００３０】
１７は、発光ランプ（本発明の発光手段に相当）であり、この発光ランプ１７は携帯電話の写真撮影用の白色光ライトでＬＥＤにて構成されると共に、表示部１４の背面（カメラ１６の近傍）に配設されている。１８は、バイブレータであり、振動で着信を報知する。１９は、電池容量検出回路であり、携帯端末装置１に電力を供給する充電式乾電池（図示せず）の電池残量を検出する。
【００３１】
ここで、紙幣３０（図４に図示）には、磁気的情報と違って贋札発見用のために、紫外線反応インクによって、当該紙幣３０表面に紫外線発光パターンや、印刷技術などを利用して真似することが困難な印刷模様などが印刷形成されている。前記発光ランプ１７は白色光であり、この白色光は紫外光を含む幅広い範囲の波長が含まれているため、紙幣３０の印刷に関する分解能も高い。この白色光に含まれる紫外光で、紙幣３０に印刷されているインク材の蛍光反応などを判定するようにしている。
【００３２】
また、後述するメモリ１３には紙幣３０の真贋判定を行うための基本情報が記憶されている。この基本情報は、紙幣３０の表面に印刷形成された光学的パターンや真似することが困難な印刷模様のポイント箇所が複数設定され、これを基本情報としている。尚、本実施例では、紫外線発光パターンや光学的バーコードパターン、光量の変化パターン、反射光の位置による光量の変化パターン、スペクトル的情報の変化パターンなどを総称して、単に光学的パターンと称す。
【００３３】
基本情報は、後述する契約者が基本情報配信サイト３５（図５に図示）と有料契約を結ぶことにより、基本情報配信サイト３５から定期的に契約者の携帯端末装置１に送信され、メモリ１３に記憶される。また、基本情報は、真贋判定に不具合が発生した場合や新たに贋札が発見された場合、或いは、新札が発行された場合などに基本情報配信サイト３５にて変更されて送信され、契約者の携帯端末装置１で受信されメモリ１３に記憶される。尚、基本情報配信サイト３５と契約を結んだ契約者には、基本情報配信サイト３５から常に最新の真贋判定用ソフトウエアが配信され、携帯端末装置１のメモリ１３に記憶され更新される。これにより、新たな贋札が流通し始めた場合にも紙幣３０の真贋判定に、迅速に対応することができ、便利である。
【００３４】
また、携帯端末装置１の制御装置１１は、紙幣３０（本発明の紙葉類に相当）から真贋判定用の情報を読み取るための情報読取手段を備えている。この情報読取手段は、紙幣３０に真贋判定用の光を照射する発光ランプ１７と、照射した発光ランプ１７の反射光を紙幣３０から受ける受光手段と、この受光手段からの信号をデジタル変換する信号変換手段とから構成されている。該受光手段は、後述する紙幣３０の光学的パターンを収集可能な光学センサ２４にて構成されている。
【００３５】
また、携帯端末装置１の入力部１５に設けられたモードキー１５６により、真贋判定モードが選択されると、図３に示すように表示部１４に紙幣３０の輪郭を合わせる枠２０が表示される。そして、携帯端末装置１の使用者は、図４に示すような例えば予め決められた左右の何れか一方の紙幣３０（この場合１０００円）の輪郭を枠２０に合わせる。尚、真贋判定モードが選択された場合、カメラ１６は撮像できないように構成されている。
【００３６】
そして、カメラ１６のピントが合いシャッターが切られると同時に、制御装置１１は発光ランプ１７を自動発光させる。これにより、光学センサ２４は紙幣３０の反射光を受光し、紙幣３０の識別要因となる光学的パターンを読み取り、読み取ったデータはメモリ１３に記憶される。尚、カメラ１６のピントが合ったら、制御装置１１はスピーカ８から音を出して、ピントが合った旨を報知するようにしても良い。
【００３７】
尚、カメラ１６にて紙幣３０を撮像する際（具体的には、光学センサ２４にて紙幣３０の反射光を受光する際）、カメラ１６を紙幣３０の長手方向、或いは、幅方向に所定の速度で移動させる。このときカメラ１６のシャッターは開いたままにして、例えば競馬の着順判定画像のように光学センサ２４にて紙幣３０の反射光を受光する。光学センサ２４で受光した紙幣３０の反射光（信号）は、信号変換手段にてデジタル変換される。
【００３８】
そして、デジタル変換された紙幣３０の情報は真贋判定用の情報としてメモリ１３に記憶される。尚、光学センサ２４を設けず、制御装置１１に所定の幅（約０．５ｍｍ〜１ｍｍ）にて画像を走査する走査回路（図示せず）を設け、この走査回路にてカメラ１６で撮像した紙幣３０の映像を左右方向、或いは、上下方向に走査して紙幣３０の情報を取得するようにしても差し支えない。
【００３９】
この走査によって、紙幣３０の光学的パターンなどの情報を読み取り、この読み取った情報を真贋判定用の情報として用いる。これにより、カメラ１６を紙幣３０の長手方向、或いは、幅方向に所定の速度で移動させる必要もなくなるので、移動スピードやカメラ１６の手ぶれなどにより読み取った情報が不安定情報になってしまう不都合も解消され、極めて精度の高い紙幣３０の光学的パターン情報を取得することができる。
【００４０】
一方、前記制御装置１１は、光学センサ２４にて受光した紙幣３０の情報と、メモリ１３に記憶された基準情報とを比較して、紙幣３０の真贋を判定する比較判定手段の全て、又は、当該比較判定手段の一部を構成する手段を備えると共に、真贋判定結果を出力する手段を備えている。即ち、制御装置１１には、紙幣３０の真贋を判定する比較判定手段の全てと、比較判定手段の一部を構成する手段との制御プログラムを備えており、これらの制御プログラムはメモリ１３に記憶され、紙幣３０の真贋判定時に実行される。
【００４１】
詳しくは、紙幣３０の真贋を判定する比較判定手段の全てを構成する手段は、光学センサ２４にて受光した紙幣３０の光学的パターンと、メモリ１３に記憶された基準情報とを比較判定手段にて比較判定する。比較判定手段は、予め設定された紙幣３０情報の内、しきい値範囲の基本情報に基づいて、光学センサ２４が受光した紙幣３０の情報（光学的パターン）と比較し、本発明の最終目的とする紙幣３０の真贋判定を行う。尚、紙幣３０の真贋を判定する比較判定手段の一部を構成する手段は、後の実施例で詳しく説明する。
【００４２】
即ち、制御装置１１（比較判定手段）は、光学センサ２４が受光し、読み取った紙幣３０の光学的パターンと、メモリ１３に記憶された基本情報とを比較して、紙幣３０の真贋判定を行う。そして、制御装置１１は、比較した紙幣３０の情報が基本情報の所定の許容範囲内であれば真札、許容範囲外であれば贋札と判断する。制御装置１１は、比較判定手段にて比較された紙幣３０が真札と判断された場合には、そのまま何もせず終了する。尚、紙幣３０が真札と判断された場合、制御装置１１にて表示部１４に紙幣３０が真札である旨の表示を行っても差し支えない。
【００４３】
また、制御装置１１は、比較判定手段にて比較された紙幣３０が贋札と判断された場合、光学センサ２４にて読み取った紙幣３０が贋札である旨を表示部１４に出力し表示する。尚、紙幣３０が贋札と判断され、表示部１４に紙幣３０が贋札である旨の表示を行うと同時に、制御装置１１にてスピーカ４、或いは、スピーカ８（本発明の真贋判定結果を出力する手段に相当）から所定の警報音を鳴らすようにしても良い。
【００４４】
そして、比較判定手段にて比較判定された贋札情報は、制御装置１１によって自動的に基本情報配信サイト３５に送信される。基本情報配信サイト３５は、受信した贋札情報が新たに発見されたものであれば、データベース（図５に図示）に記憶された基本情報を更新した後、更新した基本情報を、契約を結んでいる契約者に配信する。この配信情報には、新更新された基本情報、及び、発見された地域（携帯端末装置１はＧＰＳを搭載しているので地域特定可能）なども添付され送信される。
【００４５】
このように、携帯端末装置１には、紙幣３０から真贋判定用の情報を読み取るための情報読取手段と、紙幣３０の真贋を判定する比較判定手段と真贋判定結果を出力する手段（表示部１４及びスピーカ８）とを備えている。この情報読取手段には、判定用の光を紙幣３０に照射するための白色光の発光ランプ１７と、紙幣３０からの反射光を受ける光学センサ２４と、この光学センサ２４からの信号をデジタル変換するための信号変換手段とを備えている。
【００４６】
そして、情報読取手段で読み取った紙幣３０の情報（光学的パターン）と、データ通信機能により基本情報配信サイト３５から送信され、メモリ１３に記憶された基準情報とを比較判定手段（制御装置１１）にて比較するようにしている。これにより、制御装置１１は、光学的パターンから紙幣３０の真贋を容易に判定することができるようになる。従って、データ通信用の携帯端末装置１を利用して、手軽に紙幣３０の真贋判定を行うことができるようになる。
【００４７】
また、携帯端末装置１はデータ通信機能とメモリ１３を備えているので、基本情報配信サイト３５より真贋判定のための最新の基準情報の配信を受信してメモリ１３に記憶しておくことができる。これにより、常に最新の基準情報で紙幣３０の的確な真贋判定を実現することができるようになる。
【実施例２】
【００４８】
次に、本発明の他の実施例の携帯端末装置１を説明する。該携帯端末装置１は、前述の実施例と略同じ構成を有している。以下、異なる部分について説明する。尚、前述の実施例と同じ部分にはこれと同じ符号を付し、説明を省略する。携帯端末装置１は、実施例１の情報読取手段を、紙幣３０を撮像可能な前記カメラ１６（本発明の撮像手段）にて構成している。また、実施例２では光学センサ２４は使用していない。
【００４９】
そして、実施例１で説明した如き、予め決められた、真似することが困難な印刷模様のポイント箇所が複数設定されて基準情報が決定される。この基本情報は、基本情報配信サイト３５から定期的に送信され、契約者の携帯端末装置１にて受信され、メモリ１３に記憶される。
【００５０】
また、携帯端末装置１の入力部１５のモード選択キー（図示せず）にて、真贋判定モード（図示せず）が選択されると、カメラ１６は撮像モードとなり、そのとき表示部１４に紙幣３０の輪郭を合わせる枠２０が表示される。そして、前述同様、シャッターを開いたままカメラ１６を紙幣３０の長手方向、或いは、幅方向に所定の速度で移動させて紙幣３０を撮像する。即ち、競馬の着順判定画像のように紙幣３０を撮像する。これによって、紙幣３０の特定の模様（紙幣３０の真似することが困難な印刷模様など）や、シリアル番号３０Ａなどが真贋判定用の情報としてメモリ１３に記憶される。
【００５１】
そして、比較判定手段は、カメラ１６で撮像された紙幣３０の画像情報と、メモリ１３に記憶された基本情報とを比較する。比較判定手段にて比較された紙幣３０が真札と判断された場合には、制御装置１１はそのまま何もせず終了する。尚、紙幣３０が真札と判断された場合、制御装置１１にて表示部１４に紙幣３０が真札である旨の表示を行っても差し支えない。
【００５２】
また、比較された紙幣３０が贋札と判断された場合、制御装置１１はカメラ１６にて撮像した紙幣３０が贋札である旨を表示部１４に出力し表示する。尚、この場合も、紙幣３０が贋札と判断され、表示部１４に紙幣３０が贋札である旨の表示を行うと同時に、制御装置１１にてスピーカ４、或いは、スピーカ８（本発明の真贋判定結果を出力する手段に相当）から所定の警報音を鳴らすようにしても良い。
【００５３】
このように、紙幣３０を撮像するカメラ１６を情報読取手段としている。そして、カメラ１６にて撮像された画像とメモリ１３に記憶された基本情報を比較判定手段にて比較判定するようにしているので、紙幣３０の画像を基に模様やシリアル番号３０Ａを利用して真贋を判定することができる。
【００５４】
尚、制御装置１１に所定の幅（０．５ｍｍ〜１ｍｍ）にて画像を走査する走査回路（図示せず）を設け、この走査回路にてカメラ１６で撮像した紙幣３０の映像を左右方向、或いは、上下方向に走査することにより、撮像した紙幣３０の情報を読み取り、この読み取った情報を真贋判定用の情報としても差し支えない。これにより、カメラ１６を紙幣３０の長手方向、或いは、幅方向に所定の速度で移動させる必要もなくなるので、移動スピードやカメラ１６の手ぶれによる読み取り不安定情報となる心配などもなく、より精度の高い紙幣３０の画像情報を読み取ることができる。
【実施例３】
【００５５】
次に、図５には本発明の他の実施例の携帯端末装置１を示している。該携帯端末装置１は、前述の実施例と略同じ構成を有している。以下、異なる部分について説明する。尚、前述の実施例と同じ部分にはこれと同じ符号を付し、説明を省略する。携帯端末装置１は、図５に示すように基本情報配信サイト３５と通信可能に構成されている。
【００５６】
基本情報配信サイト３５は、ネットワークを介して複数の契約者が所有している携帯端末装置１と通信可能に構成されている。また、基本情報は、前述した如き契約者が基本情報配信サイト３５と契約を結ぶことにより、基本情報配信サイト３５から基本情報が定期的に契約者の携帯端末装置１に送信され、メモリ１３に記憶される。
【００５７】
基本情報配信サイト３５には、サーバ３６が設けられており、このサーバ３６にはマイクロプロセッサからなるホストコンピュータ３８、及び、データベース４０が接続されている。ホストコンピュータ３８は、図示しない制御装置やメモリなどを備えると共に、前記比較判定手段の一部を構成する手段を備えている。即ち、携帯端末装置１では紙幣３０の情報を読み取るだけ（紙幣３０の真贋判定を行わない）で、真贋判定はホストコンピュータ３８にて行うように構成している。
【００５８】
詳しくは、比較判定手段の一部を構成する手段は、実施例１で説明した紙幣３０の真贋を判定する比較判定手段の全てを構成する手段に対して、紙幣３０の光学的パターンを受光する光学センサ２４、及び、カメラ１６は有していない。また、ホストコンピュータ３８は、情報読取手段にて読み取られ、携帯端末装置１から送信された紙幣３０の情報を受信できる機能を有している。このホストコンピュータ３８は、実施例１の光学的パターン、或いは、実施例２の画像情報の何れも受信可能に構成されている。
【００５９】
また、比較判定手段は、携帯端末装置１から受信した紙幣３０の情報とデータベース４０に記憶された基準情報とを比較判定可能な機能を有している。尚、比較判定手段は、予め設定した紙幣３０情報の内、しきい値範囲の基本情報に基づいて、受信した紙幣３０の情報と比較し、本発明の最終目的とする紙幣３０の真贋判定を行い、その真贋判定結果を受信した携帯端末装置１に返信する。
【００６０】
即ち、携帯端末装置１の使用者が、前述同様所定の紙幣３０の光学的パターン、或いは、画像情報を収集し、その情報を携帯端末装置１のデータ通信機能により真贋判定のためにホストコンピュータ３８に送信する。そして、ホストコンピュータ３８が携帯端末装置１から紙幣３０の情報（光学的パターン、或いは、画像情報）を受信し、メモリに記憶した後、比較判定手段はデータベース４０に記憶された基準情報とメモリに記憶した紙幣３０の情報とを比較する。
【００６１】
そして、比較判定手段にて比較された紙幣３０が真札と判断された場合には、ホストコンピュータ３８の制御装置は、紙幣３０判定用の情報を送信してきた携帯端末装置１にその真贋判定結果が真札であるメッセージを送信する。ホストコンピュータ３８からの真贋判定結果の送信により、携帯端末装置１の表示部１４には受信した真贋判定結果のメッセージが表示される。
【００６２】
また、比較された紙幣３０が贋札と判断された場合、ホストコンピュータ３８の制御装置は、紙幣３０判定用の情報を送信してきた携帯端末装置１にその真贋判定結果が贋札であるメッセージを送信する。ホストコンピュータ３８からの真贋判定結果の送信により、携帯端末装置１の表示部１４には受信した真贋判定結果のメッセージが表示される。尚、この場合もホストコンピュータ３８は、携帯端末装置１の表示部１４に紙幣３０が贋札であるメッセージを表示するのと同時に、スピーカ４或いはスピーカ８から所定の警報音を鳴らす信号を送信しても良い。
【００６３】
このように、ホストコンピュータ３８には比較判定手段の一部を構成する手段を備えている。そして、携帯端末装置１の情報読取手段にて読み取った情報を、データ通信機能によりホストコンピュータ３８に送信する。ホストコンピュータ３８は、その情報を比較判定手段にて真贋判定を行い、その真贋判定結果（贋札、或いは、真札）を紙幣３０の情報を送信してきた携帯端末装置１に返信する。
【００６４】
これにより、新たな贋札が流通した場合などでもネットワークのホストコンピュータ３８を利用して、高精度の真贋判定を行うことができるようになると共に、携帯端末装置１自体の負担を軽くすることができる。また、ホストコンピュータ３８に比較判定手段の一部を構成する手段を備えているので、携帯端末装置１に設けられている制御装置１１の負担を軽くすることができ、メモリ１３に保持すべき情報や、紙幣３０の真贋判定を行うソフトも簡素化することができる。
【実施例４】
【００６５】
次に、図６には本発明の他の実施例の携帯端末装置１を示している。該携帯端末装置１は、前述の実施例と略同じ構成を有している。以下、異なる部分について説明する。尚、前述の実施例と同じ部分にはこれと同じ符号を付し、説明を省略する。携帯端末装置１は、図６に示すように下部に設けられた外部接続部１５７に追加情報読取手段（磁気読取装置４２）が挿入され接続される。
【００６６】
該追加情報読取手段は、前記実施例１乃至３で説明した情報読取手段にて読み取り可能な情報以外の、真贋判定用の情報を読み取れるように構成している。即ち、追加情報読取手段は、紙幣３０のインク材などの磁気的情報（磁気パターン情報）を読み取り可能な磁気読取装置４２にて構成されている。この追加情報読取手段には、紙質を検出できるセンサなども設けられている。
【００６７】
該磁気読取装置４２の一側には、携帯端末装置１に設けられた外部接続部１５７に着脱可能な接続コネクタ４４が設けられている。この接続コネクタ４４が外部接続部１５７に装着されて、携帯端末装置１と磁気読取装置４２とが接続される。これにより、携帯端末装置１からは、磁気読取装置４２に電力が供給されると共に、磁気読取装置４２と携帯端末装置１との情報の送受信が行えるように構成されている。
【００６８】
また、磁気読取装置４２には紙幣３０が長手方向に通過可能なスリット４６が設けられており、このスリット４６内には紙幣３０の磁気的情報を収集するための磁気センサ（図示せず）が設けられている。また、スリット４６内には図示しないが紙幣３０が挿入されたのを感知するための感知センサ、及び、紙幣３０を一定のスピードで移動させるための駆動装置が設けられている。この駆動装置は、スリット４６の一側（図６矢印）から紙幣３０が挿入されて感知センサがそれを感知すると駆動し、紙幣３０を一定のスピードで白抜き矢印方向に移動させる。
【００６９】
一方、前記比較判定手段には、磁気センサが読み取った紙幣３０の磁気情報を比較判定するためのプログラムを有している。また、携帯端末装置１のメモリ１３には前述した如き紙幣３０の真贋を判定するための基本情報が記憶されている。この基本情報には前記光学センサ２４、及び、カメラ１６などからの情報の他に、磁気読取装置４２の磁気センサが読み取った紙幣３０の磁気的情報を比較判定可能な基本情報も有している。この比較判定手段は、磁気センサから紙幣３０の磁気的情報を受信すると、メモリ１３に記憶された基本情報と比較して、紙幣３０の真贋判定を行う。
【００７０】
そして、スリット４６の一側から紙幣３０が挿入されると、感知センサがそれを感知して駆動装置が駆動する。これにより、紙幣３０はスリット４６内を一定のスピードで白抜き矢印方向に移動し、スリット４６内を通過すると共に、磁気センサにより紙幣３０に記録された磁気的情報（紙質を含む）が磁気読取装置４２にて読み込まれる。この場合、紙幣３０は駆動装置にて一定のスピードにて矢印方向に移動するので紙幣３０の磁気的情報を的確に読み取ることができる。
【００７１】
そして、比較判定手段は、読み込まれた磁気情報を予め設定された、しきい値範囲の基本情報に基づいて比較し、真札と判断された場合には、制御装置１１はそのまま何もせず終了する。尚、紙幣３０が真札と判断された場合、制御装置１１にて表示部１４に紙幣３０が真札である旨の表示を行うようにしても差し支えない。
【００７２】
また、比較された紙幣３０が贋札と判断された場合、制御装置１１は紙幣３０が贋札である旨を表示部１４に出力し表示する。尚、制御装置１１は、表示部１４に紙幣３０が贋札である旨の表示を行うと同時に、スピーカ４或いはスピーカ８（本発明の真贋判定結果を出力する手段に相当）から所定の警報音を鳴らしても良い。
【００７３】
このように、携帯端末装置１（外部接続部１５７）に、実施例１乃至３の情報読取手段にて読み取り可能な情報以外の、真贋判定用の情報を読み取るための追加情報読取手段（磁気読取装置４２）を接続可能としているので、紙幣３０の光学的パターンや画像以外に紙質やインク材質などに基づく真贋判定も行うことが可能となる。
【００７４】
尚、携帯端末装置１では、追加情報読取手段（磁気読取装置４２）にて紙幣３０の情報のみ検出して、真贋判定は携帯端末装置１のデータ通信機能によりホストコンピュータ３８に送信しても良い。そして、ホストコンピュータ３８の比較判定手段にて真贋判定を行い、その判定結果（贋札、或いは、真札）を、紙幣３０の情報を受信した携帯端末装置１に返信する。これにより、携帯端末装置１に設けた制御装置１１の負担を軽くすることができ、メモリ１３に保持すべき情報や、紙幣３０の真贋判定を行うソフトも簡素化することができる。
【００７５】
また、追加情報読取手段（磁気読取装置４２）にて紙幣３０の情報を読み込み、携帯端末装置１の制御装置１１にて真贋判定を行ったが、追加情報読取手段にて紙幣３０の情報を読み込み、真贋判定まで行うようにしても差し支えない。これにより、携帯端末装置１に設けた制御装置１１の負担を軽くすることができ、メモリ１３に保持すべき情報や、紙幣３０の真贋判定を行うソフトも簡素化することができる。
【００７６】
また、磁気読取装置４２に透過型センサ（発光素子と受光素子とを所定の間隔を存して配置する）を設け、この透過型センサにて駆動装置で駆動される紙幣３０の透過光（明暗パターン）を検出し、予めメモリ１３に記憶させた、基本情報（この場合、透過光の基本明暗パターン）と比較して、紙幣３０の真贋判定を行うようにしても差し支えない。これにより、紙幣３０の真贋判定を更に向上させることができる。
【００７７】
尚、実施例では、真贋判定用の紙幣３０を１０００円で説明したが、紙幣３０は１０００円に限らず、２０００円、５０００円、１００００円などの紙幣であっても差し支えない。この場合、紙幣３０の真贋判定用の制御装置１１は、それらの紙幣を自動的に認識して真贋判定することができるプログラム及び基本情報などを備えれば良い。
【００７８】
また、携帯端末装置１を携帯電話にて説明したが、携帯端末装置１は携帯電話に限らず、通話はできないけれどカメラ機能及びメールの送受信や、インターネットなどを行うことができるＰＤＡ５０（図５）であっても差し支えない。尚、ＰＤＡ５０は、本発明の携帯端末装置１とは異なる携帯端末装置である。
【００７９】
また、実施例では紙葉類を紙幣３０で説明したが、紙葉類は紙幣３０に限らず、商品券などの金券や証券、或いは、演劇などのチケット等であっても差し支えない。この場合も、実施例同様それら紙葉類の真贋を携帯端末装置１にて真贋判定することができるので、携帯端末装置１の利便性を更に向上させることが可能となる。
【００８０】
また、各実施例では別々に紙幣３０の真贋判定を行ったが、紙幣３０の真贋はこれに限らず、実施例１と実施例２の組み合わせや、実施例４と実施例１及び実施例２の組み合わせなどにて、紙幣３０の真贋判定を行っても良い。これにより、更に紙幣３０の真贋判定精度を向上させることができる。
【００８１】
勿論本発明は、上記各実施例のみに限定されるものではなく、この発明の趣旨を逸脱しない範囲で他の様々な変更を行っても本発明は有効である。
【図面の簡単な説明】
【００８２】
【図１】本発明の一実施例を示す携帯端末装置（携帯端末装置を折り畳んだ状態）の斜視図である（実施例１、実施例２）。
【図２】本発明の一実施例の主要な構成を示すブロック図である。
【図３】本発明の一実施例を示す携帯端末装置（折り畳んだ携帯端末装置を開いた状態）の斜視図である。
【図４】紙幣の平面図である。
【図５】本発明の一実施例を示す携帯端末装置のネットワーク構成を示す図である（実施例３）。
【図６】本発明の一実施例を示す携帯端末装置に追加情報読取手段（磁気読取装置）を取り付けた図である（実施例４）。
【符号の説明】
【００８３】
１  携帯端末装置
２  通信回路
１１  制御装置
１３  メモリ
１４  表示部
１６  カメラ
１７  発光ランプ
２０  枠
２４  光学センサ
３０  紙幣
３５  基本情報配信サイト
【図１】
2007293405.tif 000003
【図２】
2007293405.tif 000004
【図３】
2007293405.tif 000005
【図４】
2007293405.tif 000006
【図５】
2007293405.tif 000007
【図６】
2007293405.tif 000008